(57)【要約】【課題】空調冷凍サイクルの冷媒蒸発器において、冷媒流れの圧損低減、コア部を幅方向での温度分布の均一化を可能として、風量の左右独立制御空調に最適な冷媒蒸発器を提供すること。【解決手段】外部を流れるエアと、複数本の冷媒が流れる熱交換チューブ２０で前・後コア部２２Ａ、２２Ｂを形成し、前・後コア部２２Ａ、２２Ｂで熱交換してエアを冷却する冷媒蒸発器。前・後コア部２２Ａ、２２Ｂにおける第１ターンＴ１を経た冷媒が左右で入れ替わって第２ターンＴ２に流入するようにしてある。【選択図】図４
2005207716.tif 000002
【特許請求の範囲】
【請求項１】
外部を流れる被冷却流体と冷媒との熱交換を行なう冷媒蒸発器において、
冷媒流れは、冷媒導入部と冷媒導出部との間に、少なくとも、第１ターンと第２ターンとを有し、
チューブを並列させたチューブ列で形成されるコア部と、前記第１ターンを経た前記冷媒を集合する冷媒集合部と、前記冷媒を前記第２ターンに分配する冷媒分配部とを備え、
前記コア部は、左右略全領域で、互いに逆方向に流れる前記第１ターン及び前記第２ターンを形成する単列又は複列のチューブ列を備え、
前記冷媒集合部は、前記第１ターンの冷媒を、左右に分割させて集合する構造を有し、
前記冷媒分配部は、前記第１ターンとは左右方向で別領域に前記第２ターンが形成されるように分配する構造を有し、
前記冷媒集合部と冷媒分配部とは一対の連通部を介して接続されている
ことを特徴とする冷媒蒸発器。
【請求項２】
外部を流れる被冷却流体と冷媒との熱交換を行なう冷媒蒸発器であって、
冷媒流れは、冷媒導入部と冷媒導出部との間に、少なくとも、第１ターンと第２ターンとを有し、
チューブを並列させたチューブ列で形成されるコア部と、前記第１ターンを経た冷媒を集合する冷媒集合部と、冷媒を前記第２ターンに分配する冷媒分配部とを備え、
前記コア部は、左右略全領域で前記第１ターン及び前記第２ターンをそれぞれ形成する第1チューブ列と第２チューブ列とを前後の一方ずつに備え、
前記冷媒集合部は、前記第１ターンの冷媒を、左右に分割させて集合する構造を有し、
前記冷媒分配部は、前記第１ターンとは左右方向で別領域に前記第２ターンが形成されるように分配する構造を有し、
前記冷媒集合部と冷媒分配部とは一対の連通部を介して接続され、該一対の連通部が左右交差する交差流通部である、
ことを特徴とする冷媒蒸発器。
【請求項３】
前記冷媒集合部及び冷媒分配部が前後に配された一対のタンク部で形成され、該一対のタンク部が左右に分断されて形成される分断空間内に前記交差流通部が形成されていることを特徴とする請求項２記載の冷媒蒸発器。
【請求項４】
前記冷媒集合部及び冷媒分配部が前後に配された一対のタンク部で形成され、該一対のタンク部の外方空間に前記交差流通部が形成されていることを特徴とする請求項２記載の冷媒蒸発器。
【請求項５】
前記冷媒集合／分配部が前後に配された一対のタンク部で形成され、該一対のタンク部の間に少なくとも２つに隔てられた冷媒流通部を有し、前記冷媒流通部にて交差流通部が形成されていることを特徴とする請求項２記載の冷媒蒸発器。
【請求項６】
外部を流れる被冷却流体と冷媒との熱交換を行なう冷媒蒸発器であって、
冷媒流れは、冷媒導入部と冷媒導出部との間に、少なくとも第１ターンと第２ターンとを有し、
チューブを並列させたチューブ列で形成されるコア部と、前記第１ターンを経た冷媒を集合する冷媒集合部と、冷媒を前記第２ターンに分配する冷媒分配部とを備え、
前記コア部は、左右略全領域で前記第１ターン及び前記第２ターンをそれぞれ形成する第１チューブ列と第２チューブ列とを前後の一方ずつに備え、
前記冷媒集合部は、前記第１ターンの冷媒を、左右に分割させて集合する構造を有し、
前記冷媒分配部は、一対の前後に配列されたタンク部で形成され、前記第１ターンとは左右方向で別領域に前記第２ターンが形成されるように分配する構造を有し、
前記冷媒集合部と冷媒分配部とは一対の連通部を介して接続されている
ことを特徴とする冷媒蒸発器。
【請求項７】
前記冷媒集合部及び冷媒分配部は、一方が広幅タンク部、他方が一対の前後に配列された狭幅タンク部でそれぞれ形成され、
前記広幅タンク部は、必要により、左右に分割する分割板を内部に備え、
前記広幅タンク部と前記一対の狭幅タンク部との間には、それぞれ左右方向の両端で前記一対の連通部が形成されていることを特徴とする請求項６記載の冷媒蒸発器。
【請求項８】
前記広幅タンクが、第１チューブ列と接続された後コア部とされていることを特徴とする請求項７記載の冷媒蒸発器。
【請求項９】
前記第１チューブ列と第２チューブ列が、複数の独立流通孔を備えた一体扁平チューブで形成されていることを特徴とする請求項２〜８いずれか記載の冷媒蒸発器。
【請求項１０】
外部を流れる被冷却流体と冷媒との熱交換を行なう冷媒蒸発器であって、
冷媒流れは、冷媒導入部と冷媒導出部との間に、少なくとも第１ターンと第２ターンとを有し、
チューブを並列させたチューブ列で形成されるコア部と、前記第１ターンを経た冷媒を集合する冷媒集合部と、冷媒を前記第２ターンに分配する冷媒分配部とを備え、
前記コア部は、第１ターン及び第２ターンをそれぞれ形成する第１チューブと第２チューブとが１個又は複数個ずつ交互に配設して形成された単列構造とされ、
前記冷媒集合部は、前記第１ターンの冷媒を、左右に分割させて集合する構造を有し、
前記冷媒分配部は、前記第１ターンとは左右方向で別領域に前記第２ターンが形成されるように分配する構造を有し、
前記冷媒集合部及び冷媒分配部が前後に配された一対のタンク部で形成され、
前記一対のタンク部に、それぞれ第１ターンの左側及び右側と連通する各流入連通孔群が形成されているともに、左右方向で反対側に第２ターンの右側及び左側と連通する流出連通孔群が形成されている、
ことを特徴とする冷媒蒸発器。
【請求項１１】
前記コア部における前記チューブの配設方向が上下（垂直）方向であることを特徴とする請求項１〜１０いずれか一記載の冷媒蒸発器。
【請求項１２】
前記冷媒導入部への入口を複数個備えていることを特徴とする請求項１〜１０いずれか一記載の冷媒蒸発器。
【請求項１３】
両端のタンク部間に、複数本のチューブが、冷媒が同時流通可能に配されてコア部が形成されたマルチフロー型であることを特徴とする請求項１〜１０いずれか一記載の冷媒蒸発器。
【請求項１４】
前記複数本のチューブが蛇行されて前記コア部が形成される多パスサーペン型であることを特徴とする請求項１〜１０いずれか一記載の冷媒蒸発器。
【請求項１５】
前記冷媒導入部、前記冷媒排出部、冷媒分配部及び前記冷媒集合部がタンク部で形成されていることを特徴とする請求項１〜１０いずれか一記載の冷媒蒸発器。
【請求項１６】
前記コア部における第１ターンの冷媒流れが上昇流となる構成であることを特徴とする請求項１〜１０いずれか一記載の冷媒蒸発器。
【請求項１７】
請求項１〜１０のいずれか一記載の冷媒蒸発器を内部熱交換器と組み合わせて使用することを特徴とする冷媒蒸発器の使用方法。
【請求項１８】
さらにエジェクタと組み合わせて使用することを特徴とする請求項１７記載の冷媒蒸発器の使用方法。
【請求項１９】
請求項１〜１０のいずれか一記載の冷媒蒸発器を、減圧器前又は蒸発器前に気液分離器を有する冷凍サイクルに使用することを特徴とする冷媒蒸発器の使用方法。
【請求項２０】
請求項１０記載の冷媒蒸発器を、冷媒入口・出口を入れ替えて使用可能な切替弁を備えた冷媒循環回路に組み込んで使用することを特徴とする冷媒蒸発器の使用方法。
【請求項２１】
請求項１０記載の冷媒蒸発器を、冷房時には蒸発器として、暖房時には放熱器としてそれぞれ使用することを特徴とする冷媒蒸発器の使用方法。
【請求項２２】
外部を流れる被温調流体と熱媒体との熱交換を行なう熱交換器において、
熱媒体流れは、熱媒体導入部と熱媒体導出部との間に、少なくとも、第１ターンと第２ターンとを有し、
チューブを並列させたチューブ列で形成されるコア部と、前記第１ターンを経た前記熱媒体を集合する熱媒体集合部と、前記熱媒体を前記第２ターンに分配する熱媒体分配部とを備え、
前記コア部は、左右略全領域で、互いに逆方向に流れる前記第１ターン及び前記第２ターンを形成する単列又は複列のチューブ列を備え、
前記熱媒体集合部は、前記第１ターンの熱媒体を、左右に分割させて集合する構造を有し、
前記熱媒体分配部は、前記第１ターンとは左右方向で別領域に前記第２ターンが形成されるように分配する構造を有し、
前記熱媒体集合部と熱媒体分配部とは一対の連通部を介して接続されている、
ことを特徴とする熱交換器。
【発明の詳細な説明】
【技術分野】
【０００１】
本発明は、冷媒蒸発器、特に、自動車における空調（エアコンディショナ）装置の冷凍サイクルに好適な冷媒蒸発器に関する。ここで、蒸発器としては、ヒートポンプ使用時における室外熱交換器も含まれる。
【背景技術】
【０００２】
上記のような冷媒蒸発器としては、例えば、特許文献１等に記載されているマルチフロー型や、特許文献２等に記載されているサーペンタイン型がある。
【０００３】
ここでは、上下タンク（部）の間に同時流通可能な複数本のチューブが配されたコア部を備えてマルチフロー型を例に採り説明をするが、サーペンタイン型の場合でも同様である。また、特許文献１ではタンクとチューブが別体であるが、一体構造の場合でも同様である。
【０００４】
なお、本明細書で、前後方向とは、風下側を前、風上側を後とし、左右方向とは、風流れ方向に対面する直交面におけるチューブが並んでいるコア幅方向に対する左右を意味する。
【０００５】
冷媒蒸発器として、例えば、図１に示すような蒸発器があるが、チューブが並んでいる方向をコア幅方向とし、左右で冷媒がUターンしている蒸発器である。この左右Uターン蒸発器が９０度回転して、一対の上・下タンク部１６、１８が左右縦置きとなり、チューブ２０が横になって、上下方向に複数並んでいる場合も、チューブが並んでいる方向をコア幅方向とする。
【０００６】
図１に示す左右Ｕターン蒸発器は、冷媒入口・出口コネクタ１２、１４が上側の左右両端に配され、一対の上・下タンク部１６、１８の間に冷媒同時流通可能な複数本の（扁平）チューブ２０が配されてコア部２２が形成され、さらに、上タンク部１６の中間位置にセパレータ２４を設けた構成であり、冷媒流れは、図例の如く第１ターンＴ１と第２ターンＴ２とを左右に持つ。
【０００７】
この左右Ｕターン蒸発器においては、過熱度（ＳＨ：スーパヒート）を持った場合、第２ターンＴ２において温度分布が発生しやすく、吹き出し空気に左右温度分布が発生し易い。
【０００８】
また、過熱度を持たない場合でも、第２ターンＴ２側における液冷媒の流入の少ない各チューブ（図例では右側）２０における冷媒の分配を均一にする必要がある。冷媒の分配を均一にしないと、液冷媒の流入の少ないチューブに発生するドライアウト（冷媒が完全気化した状態となる。）により、やはり吹き出し風に温度分布が発生する。この傾向は、冷媒の低流量域において顕著となる。
【０００９】
これらを解消するために、図２に示すような２−２ターン蒸発器が、特許文献３等において提案されている。
【００１０】
この２−２ターン蒸発器は、冷媒入口／出口コネクタ１３左端上側に配され、前後に配された二対の上・下タンク部１６Ａ、１６Ｂ、１８Ａ、１８Ｂのそれぞれ前・後に二列のコア部２２Ａ、２２Ｂが配され、さらに、冷媒入口側・出口側の上タンク部１６Ａ、１６Ｂの中間部にセパレータ２４Ａ、２４Ｂを設け、ターンを前後に４個（Ｔ１−Ｔ２、Ｔ３−Ｔ４）持つ構成である。なお、前コア２２Aを形成する第一ターンチューブ列２０Ａ、２０Ａ…と後コア２２Ｂを形成する第二ターンチューブ列２０Ｂ、２０Ｂ…とで形成される前後方向の各隙間には、図例の如く、熱交換のためのコルゲートフィン２６が配されている（図２（Ｂ）参照）。
【００１１】
この構成の場合、ターンの数が４個となって冷媒の流通距離が長くなるとともに、タンク部とコア部相互の冷媒入出回数も多く（図例では４回）なり、蒸発器全体における冷媒流れの圧損が相対的に大きくなり、蒸発器の性能向上を妨げる。
【００１２】
このため、図３に示すごとく、図２においてセパレータを廃して幅方向に全パスとし、前後に第１ターンＴ１と第２ターンＴ２を持つ構成の、特許文献４等に記載されている前後Ｕターン蒸発器が考えられる。
【００１３】
この構成の場合、圧損低減と温度分布の両立を図り易い。
【００１４】
しかし、自動車用空調において、昨今の運転席と助手席の風量を独立して制御する場合における、蒸発器には適用し難い。
【００１５】
すなわち、コア幅方向において、大風量側の領域においては、風（被冷却流体）と冷媒が熱交換を行ない、それに伴い冷媒の蒸発量（気化量）大きくなり、体積の増大に伴い圧損が増大する。逆に、小風量の領域においては、蒸発量が少ないので、体積の増大が小さくて圧損が余り増大しない。結果として、図３に示すような全パス方式では、小風量側の領域（冷媒圧損の小さい方）にばかり、冷媒が流れてしまい、本来、より大きな性能（冷却性能）が要求される部位（大風量側）の冷却性能を確保し難くなる。
【００１６】
また、大風量側の領域では、ドライアウトとともに、過熱度（ＳＨ）を持ち易く、やはり、吹き出し温度分布が不均一となるおそれがある。
【特許文献１】特開２００１−３２４２９０公報
【特許文献２】特開２００１−１２８２１公報
【特許文献３】特開平１１−２８７５８７号公報
【特許文献４】特開２００３−７５０２４公報
【特許文献５】特開２００１−３２４２９０公報
【発明の開示】
【発明が解決しようとする課題】
【００１７】
本発明は、上記にかんがみて、空調冷凍サイクルの冷媒蒸発器において、冷媒流れの圧損低減、コア部の幅方向における温度分布の均一化を可能として、風量の左右独立制御空調に最適な冷媒蒸発器を提供することを目的とする。
【課題を解決するための手段】
【００１８】
本発明者らは、上記課題を解決するために、鋭意開発に努力をした結果、下記構成の冷媒蒸発器に想到した。
【００１９】
外部を流れる被冷却流体と冷媒との熱交換を行なう冷媒蒸発器において、
冷媒流れは、冷媒導入部と冷媒導出部との間に、少なくとも、第１ターンと第２ターンとを有し、
チューブを並列させたチューブ列で形成されるコア部と、第１ターンを経た冷媒を集合する冷媒集合部と、冷媒を第２ターンに分配する冷媒分配部とを備え、
コア部は、左右略全領域で、互いに逆方向に流れる第１ターン及び第２ターンを形成する単列又は複列のチューブ列を備え、
冷媒集合部は、第１ターンの冷媒を、左右に分割させて集合する構造を有し、
冷媒分配部は、第１ターンとは左右方向で別領域に第２ターンが形成されるように分配する構造を有し、
冷媒集合部と冷媒分配部とは一対の連通部を介して接続されていることを特徴とする。
【００２０】
上記の如く、ターン（通常、第１ターン）を経た冷媒を左右方向（コア幅方向）で入れ替えて流す構造となることにより、蒸発量が全体として均一化され、蒸発器吹き出し温度の幅方向の均一化は勿論、左右における風量を調節して性能差を出すためのシステムにおいて、吹き出し温度の差が出難く、さらには、少ないターン数（２つ）で対応できるため圧損の少ない構成とすることが可能となる。
【００２１】
また、風（被冷却流体）の流れ方向に対して複数のコア部を有する構成のものは、さらに、温度分布・性能ともに良好となる。
【００２２】
上記構成において、コア部を形成するチューブ列を、第１ターン及び第２ターンをそれぞれ形成する第1チューブ列と第２チューブ列とを前後の一方ずつに備え、冷媒集合部と冷媒分配部とを一対の連通部を介して接続し、該一対の連通部を左右交差する交差流通部とすることができる。
【００２３】
該交差流通部の態様としては、冷媒集合部と冷媒分配部とをそれぞれ前後に配した一対のタンク部とし、（１）一対のタンク部の左右を分断して形成される分断空間内に、（２）一対のタンク部の外方空間に、それぞれ交差流通部を形成する、又は（３）前後に配した一対のタンク部の間に２つの隔てられた冷媒流通部を有し、該冷媒流通部で交差流通部を形成する各態様がある。
【００２４】
上記（１）の態様の場合、冷媒集合部及び冷媒分配部の横断面内に、簡単な構造の交差流通部を形成でき、かつ、占有空間も実質的に増大させない構造が可能となる。
【００２５】
また、コア部のチューブ列が複列構造とした場合の別の態様として、冷媒集合部及び冷媒分配部は、一方を広幅タンク部、他方を一対の前後に配列された狭幅タンク部でそれぞれ形成し、広幅タンク部は、通常、左右に分割する分割板を内部に備え、広幅タンク部と一対の狭幅タンク部との間には、それぞれ左右方向の両端で前記一対の連通部を形成することもできる。
【００２６】
当該構成においては、交差流通部を形成しないため、構造がより簡単となる。また、後述の実施例の如く、タンク部を、それぞれ一枚のプレス成形板と連通孔形成プレートにより簡単に製造することができる。
【００２７】
上記構成において、前記広幅タンクと接続される側のチューブ列をエア流れに対向する後コア部とすることが望ましい。冷却性能の向上がより期待できる。
【００２８】
上記コア部が第1・２チューブ列を備えたいわゆる複列構造の各構成において、複数の独立流通孔を備えた一体扁平チューブで形成することも可能である。生産性が向上する。
【００２９】
また、本発明は、下記のようなチューブ列単列構造とすることもできる。
【００３０】
外部を流れる被冷却流体と冷媒との熱交換を行なう冷媒蒸発器であって、
冷媒流れは、冷媒導入部と冷媒導出部との間に、少なくとも第１ターンと第２ターンとを有し、
チューブを並列させたチューブ列で形成されるコア部と、前記第１ターンを経た冷媒を集合する冷媒集合部と、冷媒を前記第２ターンに分配する冷媒分配部とを備え、
コア部は、第１ターン及び第２ターンをそれぞれ形成する第１チューブと第２チューブとが１個又は複数個ずつ交互に配設して形成された単列構造とされ、
冷媒集合部は、第１ターンの冷媒を、左右に分割させて集合する構造を有し、
冷媒分配部は、第１ターンとは左右方向で別領域に第２ターンが形成されるように分配する構造を有し、
冷媒集合部及び冷媒分配部が前後に配された一対のタンク部で形成され、
一対のタンク部に、それぞれ第１ターンの左側及び右側と連通する各流入連通孔群が形成されているともに、左右方向で反対側に第２ターンの右側及び左側と連通する流出連通孔群が形成されている、ことを特徴とする。
【００３１】
本構成の場合は、一列のチューブ列に交互に第1ターンと第2ターンとが形成されるため、第1ターンと第２ターンとが複列で形成される場合に比して、より、温度分布の均一化性能を向上させやすい。
【００３２】
上記各構成において、通常、チューブの配設方向は上下（垂直）方向が望ましい。また、冷媒の導入口（流入部）を複数個備えた構成としてもよい。蒸発器のサイズが大きい場合に好適である。
【００３３】
本発明の蒸発器は、コア部が両端のタンク部間に、複数本の熱交換チューブを冷媒が同時流通可能に配したマルチフロータイプであっても、複数本のチューブが蛇行されてコア部が形成されるサーペンタインタイプであってもよい。
【００３４】
また、前記冷媒導入部、冷媒排出部、冷媒分配部及び冷媒集合部等はタンク部で形成することが望ましい。冷媒の分配性及び集合性に優れている。
【００３５】
コア部における第１ターンの冷媒流れを上昇流とすることが望ましい。各チューブに対する冷媒分配性が良好となり、冷却性能とともに幅方向の温度分布も良好となる。
【００３６】
上記各構成の冷媒蒸発器は、内部熱交換と組み合わせて使用することが望ましい。蒸発器入口冷媒の渇き度が小さくなることで、温度分布がより向上するとともに、蒸発器出入口におけるエンタルピ差を大きく採ることができ性能も向上する。
【００３７】
さらに、エジェクタと組み合わせて使用することが望ましい。エジェクタサイクルにおいては、低圧系の圧力損失（蒸発器、気液分離器等）が小さければ小さい程、低圧側への冷媒流量が大きくなるので性能が大幅に向上する。
【００３８】
また、上記各構成の冷媒蒸発器は、減圧器前又は蒸発器前に気液分離器を有する冷凍サイクルに使用することが望ましい。冷媒を入口渇き度が小さい方が、蒸発器の冷却性能および幅方向の温度分布が良好となるためである。
【発明を実施するための最良の形態】
【００３９】
以下、本発明の実施形態を、幅方向に全パスとした構成の前後Ｕターン蒸発器に適用した場合を例にとり説明をするが、これに限られるものではない。
【００４０】
図４〜５にその一例を示す。既述例と同一部分については、同一図符号を付してそれらの説明の全部又は一部を省略する。
【００４１】
上前・後タンク部（冷媒集合部・分配部）１６Ａ、１６Ｂと下前・後タンク部（冷媒導入部・導出部）１８Ａ、１８Ｂの間に、前コア部（前チューブ列：第1チューブ列）２２Ａと後コア部（後チューブ列：第2チューブ列）２２Ｂが配されたマルチフロー（ＭＦ）型でコネクタ１３を介して冷媒を前下部タンク部１８Ａ側から流入（導入）させ、後下部タンク１８Ｂから流出（導出）させる構成である。なお、各コア部２２Ａ、２２Ｂは、前述と同様、前チューブ列２０Ａ、２０Ａ…と後チューブ列２０Ｂ、２０Ｂ…とで形成される前後方向の各隙間には、図例の如く、吸熱フィン（コルゲートフィン）２６が配されて形成されている。コルゲートフィン２６とチューブ２０Ａ、２０Ｂとの位置関係の詳細を図４（Ｂ）に示す。
【００４２】
そして、図例では、第１ターンＴ１が前側コア部（第1チューブ列）２２Ａで行なわれ、かつ上昇流となるようになっている。従来と同様、直交対向流となるので、性能・温度的に有利となる。また、第１ターンＴ１を前側に冷媒を下側から流入させた方が、各チューブに対する分配性（ディストリビューション性）が良好となり、温度分布の均一性に寄与する。
【００４３】
なお、既述例の如く、コネクタを上側に配し、第1ターンを下降流となるようにしてもよい。また、第１ターンが後側コア部（第２チューブ列）２２Ｂで行なわれるようにしてもよい。
【００４４】
上記前後Ｕターン蒸発器において、一つのターンを経た冷媒をコア幅方向で入れ替えて流す構造とされている。なお、以下では、コア幅方向で各チューブの全部を入れ替えた事例について説明をするが、部分的に入れ替えても、本発明の効果は奏する。
【００４５】
図例では、幅方向に全パスさせて第1ターンＴ１Ｌ、Ｔ１Ｒを経た冷媒を、第２ターンＴ２Ｒ、Ｔ２Ｌに流入させる前に、一対の連通部が左右交差（水平交差）する交差流通部を介して、第２ターンＴ２Ｒ、Ｔ２Ｌに流入させる。すなわち、左側第１ターンＴ１Ｌを経た冷媒は、左側前上タンク１６ＡＬから右側後上部タンク１６ＢＲに流入し右側第２ターンＴ２Ｒに移る。また、右側第１ターンＴ１Ｒを経た冷媒は左側上部タンク１６ARから左側後上部タンク16BLに流入し左側第２ターンＴ２Ｌに移る。そして、第２ターンＴ２Ｒ、Ｔ２Ｌを経た冷媒は後下部タンク１８Ｂに流入（集合）して、コネクタ１３の出口から流出する。
【００４６】
図５に、一対の前・後上タンク部１６Ａ、１６Ｂが左右に分断されて形成される分断空間内に上記交差流通部を形成する構造の一例を示す。すなわち、前第１ターンＴ１Ｌ、Ｔ１Ｒ後の冷媒を、コア幅方向で（水平）左右交差させて第２ターンＴ２に流入させる構造の一例を示す。
【００４７】
上タンク部１６Ａ、１６Ｂの中央部に前・後上タンク部１６Ａ、１６Ｂの連通空間２８を形成し、該連通空間２８に、上下分割板部３０ａの幅方向両端の前後にそれぞれ互い違い半円状の下向き堰板３０ｂ、上向き堰板３０ｃからなる交差流れガイド部材（セパレータ）３０を嵌め込む。
【００４８】
すなわち、左側第１ターンＴ１Ｌを経た冷媒流れは、太実線で示す如く、左側前上タンク部１６ＡＬから連通空間２８の上側を通過して右側後上タンク部１６ＢＲに流入し右側第２ターンＴ２Ｒに移る。他方、右側第１ターンＴ１Ｒを経た冷媒流れは、太鎖線で示す如く、右側前上タンク部１６ＡＲから連通空間２８の下側を通過して左側後上タンク部１６ＢＬに流入し左側第２ターンＴ２Ｌに移る。なお、前後交差部における冷媒流れを示す太実線および太鎖線は、それぞれ、上側通過及び下側通過を示す（以下、同じ）。
【００４９】
当該構成において、連通空間２８における冷媒の上側通過及び下側通過を逆にしてもよい。
【００５０】
上記のような構成により低圧損化を実現できるとともに、運転席と助手席の風量を独立に制御する場合にも風が通過するコア部の全領域において温度が均一となるため、運転席側、助手席ともに不快感のない空調制御が可能となる。
【００５１】
図４に基づき、運転席と助手席（左右）の風量を独立に制御する例を説明する。図４はコア幅方向左に大風量、右に小風量を蒸発器コア部に供給するものを示している。このような風量差は、図中省略の独立なブロアにて制御して発生させたり、コア部風上、または風下に障壁等を設けて発生させたりすることができる。コア幅方向において、大風量側における第一ターンＴ１Lにおける蒸発量は大きいものの、小風量側を通る第二ターンＴ２Rにおける蒸発量は小さい。他方小風量側における第一ターンＴ１Ｒにおける蒸発量は小さいものの、大風量側を通る第二ターンＴ２Ｌにおける蒸発量は大きい。結果として全パス方式にもかかわらず、コア全体として冷媒の蒸発量はより均一となり、良好な温度分布を保持することができるとともに、大風量側の性能も確保できる。
【００５２】
第１ターン後の冷媒を後流側ターンに流入させる前に左右で（水平）交差させるための交差流通部の構成は、上記に限られるものではない。例えば、図６〜９に示すような種々のものが考えられる。ここで、図５と対応する部分については、同一図符号を付してそれらの説明の全部又は一部を省略する。
【００５３】
図６に示すものは、図５の構成において、交差流通部（連通空間）を交差流れガイド部材３０Ａを備えた連通ブロック２８Ａで形成したものである。
【００５４】
図７に示す交差流通通部は、前・後上タンク部１６Ａ、１６Ｂ内に前述の２−２ターン蒸発器におけるのと同様にセパレータ２４Ａ、２４Ｂを配し、分割された左側前タンク部１６ＡＬと右側後タンク部１６ＢＲとを連通させる第１連通パイプ３２、右側前タンク部１６ＡＲと左側後タンク部１６ＢＬとを連通させる第２連通パイプ３４を交差配管して形成したものである。
【００５５】
図８に示すものは、前・後上タンク部１６Ａ、１６Ｂの間に、二つ以上の冷媒流通部を有し、該冷媒流通部で交差流通部を形成したものである。即ち、前・後上タンク部１６Ａ、１６Ｂの間に、図７の如く、セパレータ２４Ａ、２４Ｂを配するとともに、前・後上タンク部１６Ａ、１６Ｂ間に、上下分割板３５を備えた中間タンク部１６Ｃを配したものである。なお図例では、交差流通部を形成する中間タンク部１６Cは、前・後上タンク部１６A、１６Bと同一外径（円筒形）とされているが、上方又は下方に膨出湾曲したアーチ形状等、任意である。
【００５６】
そして、左側第１ターンＴ１Ｌを経て左側前上タンク部１６ＡＬに流入した冷媒は、左側前上タンク部１６ＡＬ及び右側後タンク部１６ＡＲと中間タンク部１６Ｃとの各隣接壁の上下分割板３５の直上に形成された上側第1・第２連通孔３６Ａ、３６Ｂを経て右側後タンク部１６ＢＲに流入して、右側第２ターンＴ２Ｒに移る。他方、右側第１ターンＴ１Ｒを経て右側上タンク部１６ＡＲに流入した冷媒は、左側前上タンク部１６ＡＬ及び右側後タンク部１６ＢＲと中間タンク部１６Ｃとの各隣接壁の上下分割板３５の直下に形成された下側第1・第２連通孔３７Ａ、３７Ｂを経て左側後タンク部１６ＢＬに流入し、左側第２ターンＴ２Ｌに移る。
【００５７】
図９（Ａ）に示すものは、前後に三条（広幅１条、狭幅２条）の溝部を備えたタンク形成プレス成形板３８と、各溝部に対応させて全長に渡る前連通孔群３９ａ、左側半分に後第一連通孔群３９ｂ、及び右側半分に後第二連通孔群３９ｃを備えた連通孔形成プレート４０により、前上タンク部（広幅タンク部）１６Ａ及び後上第一・第二タンク部（狭幅タンク部）１６Ｂ、１６Ｃを形成したものである。そして、前上タンク部１６Ａには中央にセパレータ２４が形成されている。当然、前連通孔群３９ａは前コア部（前チューブ列）２２Ａと、後第一・第二連通孔群３９ｂ、３９ｃの後コア部（後チューブ列）２２Ｂの各チューブ上開口端と対応している。
【００５８】
また、前上タンク部１６Ａと後上第二タンク部１６Ｃとの左端部間に第一連通路３２Ａが、前上タンク部１６Ａと後上第一タンク部１６Ｂの右端部間に第二連通路３２Ｂがそれぞれ形成されている。なお、第一連通路３２Ａは、中間タンク部１６Ｂを通過するため、後上第一タンク部１６Ｂの部位で流入防止堰２５が形成されている。なお、流入防止堰２５は、完全に後上第一タンク部１６Ｂ側への冷媒の流入を阻止するものでなくてもよい。すなわち、例えば３９ｂに冷媒が流入する場合を考えると、流入防止堰２５が１００％冷媒の流入を阻止するものであれば、図１０（Ａ）に示すような冷媒の流れムラが発生するが、図１０（Ｂ）に示すように流入防止堰２５からも冷媒が何割か流れ込むようにすることにより、両側から冷媒を供給することで冷媒の流れムラを緩和することができる。しかしながら、その流入防止堰２５からの流入量が多い場合は、本発明自体の効果が阻害されるおそれがあるため、流れ込む冷媒の量としては、開口率を調整して３０％以下が適当である。
【００５９】
そして、本形態におけるコア幅方向における冷媒流れの入れ替えは下記の如く行う。
【００６０】
左側第１ターンＴ１Ｌを経て、前コア部２２Ａの左側チューブ列から左側前上タンク部１６ＡＬに流入した冷媒は、第一連通路３２Ａを経て上後第二タンク部１６Ｃに流入し右側の後第二連通孔群３９ｃを介して後コア部２２Ｂの右側チューブ列へ流入して右側第２ターンＴ２Ｒへ移る（太実線参照）。
【００６１】
他方、右側第１ターンＴ１Ｒを経て、前コア部２２Ａの右側チューブ列から右側前上タンク部１６ＡＲに流入した冷媒は、第二連通路３２Ｂを経て上後第一タンク部１６Ｂに流入し左側の後第一連通孔群３９ｂを介して後コア部２２Ｂの左側チューブ列へ流入することにより左側第２ターンＴ２Ｌへ移る（太一点鎖線参照）。
【００６２】
なお、上記において、右端部の第二連通路３２Ｂを、一点鎖線で示す如く、第一連通路３２Ａと対称的に同じ長さに形成してもよい。この場合は、第二連通路３２Ｂの上後第二タンク部１６Ｃとの接続部に、第一連通路３２Ａの場合と同様、流入防止堰を設ける必要がある。また、この場合も上記同様に流入防止堰の開口率は完全に後上第一タンク部１６Ｃ側への冷媒の流入を阻止するものでなくてもよい。理由はと同様、片側から流入される冷媒流れでは冷媒の流れムラが発生するが、両側から冷媒を供給することで冷媒の流れムラを緩和することができるからである。
【００６３】
また、図９（Ｂ）に示すように、上記構成に対して上タンク部の並び風流れ方向に逆の並びとし、冷媒流れを逆にするような構成でもよい。即ち、広幅タンク部１６Cと接続される側のチューブ列２０Aを第１ターンを形成する後コア部とする。即ち、第１ターンＴ１Ｒ、Ｔ１Ｌを経た冷媒は狭幅タンク２条であるタンク部１６Ａ、１６Ｂにそれぞれ流入し、左右の両端にそれぞれ形成された連通路３２Ａ、３２Ｂを経てタンク部１６Ｃへと導かれたのち、チューブ列２０Ｂに流出し、第２ターンＴ２Ｌ、Ｔ２Ｒを形成してもよい。この構成の場合は、タンク部１６Ｃの中央部に、上記の如く、分割板２４を形成する必然性はなく、また分割板２４の部位に絞り等を設けてもよい。
【００６４】
なお、本発明の効果を確認するために、圧力損失及び吹き出し温度差について、上記実施例（図９（B)）と従来例との実機比較の試験を行った。なお、従来例（従来品）としては、前者：図２の２−２ターンタイプ、後者：図３の前後Ｕターンタイプとした。
【００６５】
コアサイズは、何れも、コア幅２８５.３ｍｍ×コア高さ２３５ｍｍ×コア厚さ３８ｍｍとした。また、いずれの実験も、４０℃×４０％ＲＨ（空気側条件）において均一風を蒸発器に供給し、膨張弁前圧力／温度：９ＭPa／２７.９２℃、蒸発器後圧力／加熱度：４ＭPa／１℃（冷媒側条件）にて制御して行った。
【００６６】
＜圧力損失試験＞
上記実験条件において、風量を各５点振って測定した。測定結果を、各風量における冷媒流量（Ｇr：ｋｇ／ｈ）を横軸に、縦軸に冷媒圧力損失（ΔＰr：MPa）とし、両対数グラフにて図１１に示す。これにより従来品と比較して本発明品は圧力損失を約２７％低減できることが確認できた。
【００６７】
＜温度差試験＞
上記実験条件において、２つのブロアにより各々電圧制御を行ない、同じ風量格差をつけコアに供給することで、風量独コン制御時におけるコア吹き出し温度をサーモヴューア（赤外線温度計）にて測定した。全面積をコア幅方向に４分割、コア高さ方向に２分割し、その各々の領域の平均温度を比較して、最高温度領域と最低温度領域部の温度差を求めた。
【００６８】
それらの結果を、表１に示すが、実施例の場合、何れも、風量比（体積比）が大きい程その改善効果は大きいことが分かる。
【００６９】
【表１】
2005207716.tif 000003
上記実施形態において、冷媒入口を複数個（２個）１８A、１８A´としたものを図１２に示す。この形態においては、前下タンク部１８Ａ内にセパレータ２４が配されている。この構成のものは、幅方向に大きな蒸発器に好適である。
【００７０】
上記各実施形態においては、風流れ方向にチューブ列を別体の複数列で形成する場合を例としていたが、上記複列構造のコア部を、複数の独立流通孔２０ａを備えた一体扁平チューブ２０で形成する、図１３に示すような単列構成とすることもできる。
【００７１】
なお、本実施形態は、図４と同様の外観を有するため、図４と対応する部分については、同一図符号を付してそれらの説明の全部又は一部を省略する。
【００７２】
本実施形態は、上前・後タンク部１６Ａ、１６Ｂと下前・後タンク部１８Ａ、１８Ｂとの間に、複数の扁平断面で独立流通孔２０ａを備えたチューブ２０が幅方向に配列された一列のコア部２２を備えたものである（図１３（Ａ）・（Ｂ）参照）。これらの扁平チューブ２０は、例えば、図例の如く、押出しにより製造したものを使用する。
【００７３】
チューブ２０の上下端部にチューブ巾方向の中央部に切欠き部２０ｂ、２０ｂを設けるとともに、各チューブ端部の形状に対応させた２列の連通孔形成開口４０ａ、４０ａ群を左右方向全長に渡り備えた２枚の連通孔形成プレート４０、４０及び2条のタンク部形成用溝部を備えた２枚のタンク形成プレート１５、１５を用意する。
【００７４】
そして、連通孔形成開口４０ａ、４０ａに、各チューブ２０を嵌合させる。このとき、チューブ２０に形成された切り欠き部２０ｂは、連通穴形成開口４０ａ、４０ａの隔壁４０ｂに嵌合することになる。さらに、タンク形成プレート１５Ａ、１５Ｂを組みつける。こうして、上タンク部内空間を上前・後タンク部１６Ａ、１６Ｂに、下タンク部内空間を上前・後タンク部１８Ａと１８Ｂとに隔てることができる。
【００７５】
上記各実施形態では、前後に第１、第２のターンＴ１、Ｔ２を備えている場合を例に採ったが、第１、第２のターンＴ１、Ｔ２がコア幅方向に１列に交互に並ぶ構造とすることもできる。図１４〜１７にその一実施形態を示す。
【００７６】
本実施形態は、上前・後タンク部１６Ａ、１６Ｂと下前・後タンク部１８Ａ、１８Ｂとの間に、複数の扁平断面のチューブ２０が幅方向に配列された一列のコア部２２を備えたものである。
【００７７】
そして、冷媒は、コネクタ１３を介して上前タンク部１６Ａ側に流入、上後タンク部１６Ｂ側から流出するようになっており、図例では、第１ターン用のチューブ２０Ａと第２ターン用のチューブ２０Ｂとが、１つおきに配列されている。
【００７８】
また、１６Ａ、１６Ｂを別空間に隔て、かつ、上タンク部１６Ａ、１６Ｂにそれぞれ第１ターン用のチューブ２０Ａ、第２ターン用のチューブ２０Ｂの端部開口に対応させてコア幅方向全長に渡る連通孔群３９a、３９ｂを備えた連通孔形成プレート４１Aを備えている。
【００７９】
さらに、下タンク部にチューブ２０Ａ、端部開口に対応させて全長に渡る連通孔群３９ｃＲ、３９ｃＬ、チューブ２０Ｂ端部開口に対応させて全長に渡る連通孔群３９dＲ，３９ｄＬを備えた連通孔形成プレート４１Bを備えており、連通孔群３９ｄＲは下タンク部右前に位置し、連通孔群３９ｃＬは左前に位置する。また３９ｃＲは下タンク部の右後に位置し、３９ｄＬは左後に位置する。
【００８０】
上記構成により、上前タンク部１６Ａから３９aを経てチューブ２０Ａに流入し、第１ターンＴ１を形成する。その後、コア部２２の左側における冷媒は３９ｃＬからタンク部１８Aへと流入し、３９ｄRを経てコア部２２右側のチューブ２０Bへと流入し第２ターンＴ２を形成する。他方、コア部２２右側における冷媒は３９ｃRからタンク部１８Ｂへと流入し、３９ｄLを経てコア部２２左側のチューブ２０Bへと流入し第２ターンＴ２を形成する。第２ターンを経た冷媒は３９ｂを経て上後タンク部１６Bにて合流し入口／出口コネクタ１３を経て流出する。図１５に流れ全体図を示す。
【００８１】
こうして、前後にコア部２２Ａ、２２Ｂを備えている場合と同様、コア部２２における１つのターンを経た冷媒流れを左右で入れ替えて流す結果となり、上記コア部を前後に複数列備えた冷媒蒸発器の場合と同様に、コア部２２全体における蒸発量が均一化されて、温度の幅方向の均一化が可能となり、また、ターン数も少なくて圧損の少ない構成とすることが可能となる。さらに、この構成の場合、第２ターン用（後流側）のチューブ内に、ドライアウト域やスーパヒート域が現れた場合でも、隣接した第１ターン用（上流側）のチューブとフィンを介して熱交換して、熱量が平均化されて温度分布が良好となる。
【００８２】
すなわち、通常（従来）は、スーパヒート域等から発生する温度分布を持った風を風流れ下流側（冷媒流としては上流側）の熱交換部にて冷却する、いわゆる対向流とすることで、温度分布を軽減している。これに対して、本実施形態のコア部単列構造とすることにより、スーパヒート域等を持つ領域のチューブを隣り合うスーパヒート域等を持たないチューブにて挟むことができ、結果として一列のコアにおいても温度分布を良好とすることができる。
【００８３】
この場合、冷媒を逆流にて使用するようなサイクルにおいても、温度分布を良好にすることができる。その理由は、下記の如くである。
【００８４】
通常、図２〜４に示した構造のように、風下側コア部２２Aにて冷媒が熱交換した後、風上側コア部２２Bにて冷媒が熱交換するような流体流れ、すなわち熱交換する第１流体（この場合空気）と第２流体（この場合冷媒）が巨視的に互いに向かい合う流体流れを対向流（直交対向流）というが、このような構造の場合、冷媒入口、冷媒出口を逆にする、すなわち冷媒の流れを逆にすると、風流れ方向に対して対向流が並向流構造となる。このため、冷媒出口付近であらわれるスーパヒート域等がそのまま吹き出し温度分布域として吹き出し温度分布として現れてしまう。しかし、本実施形態のコア部単列構造では、単なる直交流であるため、逆流としても並向流となるようなことなく、コア部における冷媒流れとしては左右対称になるに過ぎない。従って、温度分布を良好にできる。
【００８５】
さらに、本実施形態のコア部単列構造の場合、放熱器としても温度分布が良好となる。
【００８６】
特に、炭酸ガス（ＣＯ2）冷媒の場合、超臨界域にて熱交換器に流入されるが、物性上、冷媒は等温変化をしない。特に、冷媒流入直後に、冷媒が急激に冷えるという現象がおきる。そして、風流れに単列な構造においては、冷媒の温度変化がそのまま吹き出し温度に現れた温度分布となる。しかし、図１１に示す本実施形態の構造では、冷媒温度が高い冷媒流入直後と、冷媒温度の低い冷媒流出手前のチューブとが交互に並ぶため良好な温度分布を得ることができる。
【００８７】
なお、上記実施形態では、上から下に冷媒が流れる第１ターンのチューブ２０Ａと下から上に冷媒が流れる第２ターンのチューブ２０Ｂが交互に１本ずつ配置されている構成であるが、２本ずつや３本ずつでも効果は得られることは、原理的に明らかである。
【００８８】
こうして、本実施形態では、蒸発器としても放熱器の双方で温度分布が良好となり、蒸発器と放熱器との併用が可能となる。
【００８９】
ここで、蒸発器とは、冷媒が被冷却流体（風）との熱交換の際、冷媒が吸熱することにより蒸発する過程にある熱交換器を意味し、放熱器とは、冷媒が冷媒温度を下げるために熱を放熱する過程にある熱交換器を意味する。
【００９０】
なお、上記各実施形態では、全て、タンク部を上下に配されてチューブを垂直（縦）方向となるように設置する場合について説明したが、図１８に示す如く、上下の前後タンクを縦置きとして左右の前・後タンク部１６A、１６B、１８A、１８Bその間に、多数のチューブが水平（横）方向に配されたコア部２２A、２２Bを備えるように設置する場合にも、本発明の作用効果を奏する。即ち、当該配置とした場合は、従来構成では上・下温度ムラが発生するが、本発明構成では、上・下温度ムラがなくなる。
【００９１】
なお、図１８は、図４に示す冷媒蒸発器を右９０°回転させたもので、各部品の説明は、同一図符号を付して省略する。
【００９２】
そして、上記各実施形態の冷媒蒸発器は、図１９に示すごとく、切替弁（四方弁）４２を設けた冷媒循環路に図１１に示す構造の蒸発器を室内熱交換器４４として組み込んで、使用することができる。この場合は、簡単な冷媒循環路で、クーラ（冷却）モード（図１８（Ａ））と、ヒータ（加熱）モード（図１９（Ａ））の切替えができる。以下、超臨界にて使用する炭酸ガスを冷媒とするサイクルを例に採り説明する。
【００９３】
図１８（Ａ）に示すクーラモードにおいては、圧縮器４６で昇圧された冷媒は、切替弁４２の切替えにより配管４３を介して室外熱交換器（放熱器）４８へと導かれて、高温の空気との熱交換により高圧低温の冷媒へと変化する。その後、冷媒は、内部熱交換器（ＩＨＸ）５０及び膨張弁（減圧装置）４５により低圧低温の冷媒へと変化して、室内熱交換器（蒸発器）４４へと流入する。そして、冷媒は、室内熱交換器４４により車室内の空気の冷却に使用された後、受液タンク５２に導かれて気液分離された後、再び圧縮器４６へ戻って高圧高温の冷媒へと変化する。
【００９４】
他方、図１９（Ｂ）に示すヒータモードにおいては、圧縮器４６で昇圧された冷媒は、切替弁４２の切替により配管４３Ａを介して室内熱交換器（放熱器）４４に導かれ、低温の空気との熱交換により高圧低温の冷媒へと変化し、続いて、膨張弁（減圧装置）４５により、低圧低温の冷媒へと変化する。そして、この低圧低温の冷媒は、室外熱交換器（蒸発器）４８に流入し、吸熱した後、切替弁４２を介して、内部熱交換器（ＩＨＸ）５０を経た後、再び圧縮器４６へ戻って高圧高温の冷媒へと変化する。
【００９５】
なお、このコア部１列の本実施形態においても、流入口を下側にしたり、流入口・流出口を左右に設けたり、さらには、流入口を二つにすることも可能である。また、第１ターン用のチューブ２０Ａと第２ターン用のチューブ２０Ｂは、１つおきでなくてもよく、複数個ずつ交互に配列してもよい。
【００９６】
また、上記各実施形態においては、第１ターン後に（水平）交差により冷媒流れを入れ替えて第２ターンに移行させるようにしたが、複数のターンを経た後に冷媒流れを水平交差するようにしてもよく、冷媒流れ入れ替えのための水平交差させる数も複数としてもよい。
【００９７】
そして、本発明の技術的思想は、複数本のチューブを蛇行して前・後コア部を形成した多パスのサーペンタインタイプにも適用可能である。
【００９８】
さらに、本発明の冷媒蒸発器は、エジェクタや内部熱交換器を有する冷凍サイクルに適用できる（図２０・２１参照）。ここで、蒸発器の前（図２０）又は減圧器（膨張弁）の前（図２１）に気液分離器を配することが望ましい。これは、冷媒の入口渇き度が小さい方が、温度分布、冷却性能とも良好とすることができるため望ましいからである。
【００９９】
本発明は、上記各実施形態に限定されることなく、特許請求の範囲に記載される範囲内で種々に及ぶものである。
【産業上の利用可能性】
【０１００】
上記では冷媒蒸発器について説明してきたが、本発明は、冷媒以外の熱媒体を使用し、被温調流体を温調（加熱等）する場合にも適用が可能と期待できる。
その場合の構成は、下記のようなものとなる。
【０１０１】
外部を流れる被温調流体と熱媒体との熱交換を行なう熱交換器において、
熱媒体流れは、熱媒体導入部と熱媒体導出部との間に、少なくとも、第１ターンと第２ターンとを有し、
チューブを並列させたチューブ列で形成されるコア部と、前記第１ターンを経た前記熱媒体を集合する熱媒体集合部と、前記熱媒体を前記第２ターンに分配する熱媒体分配部とを備え、
前記コア部は、左右略全領域で、互いに逆方向に流れる前記第１ターン及び前記第２ターンを形成する単列又は複列のチューブ列を備え、
前記熱媒体集合部は、前記第１ターンの熱媒体を、左右に分割させて集合する構造を有し、
前記熱媒体分配部は、前記第１ターンとは左右方向で別領域に前記第２ターンが形成されるように分配する構造を有し、
前記熱媒体集合部と熱媒体分配部とは一対の連通部を介して接続されている、ことを特徴とする。
【図面の簡単な説明】
【０１０２】
【図１】マルチフロー冷媒蒸発器における左右Ｕターン型の冷媒流れを示す斜視図である。
【図２】同じく２−２ターン型の冷媒流れを示す斜視図である。
【図３】同じく前後Ｕターン型の冷媒流れを示す斜視図である。
【図４】本発明の一実施形態における冷媒蒸発器の冷媒流れを示す斜視図である。
【図５】図４における交差流れを発生させる場合の一形態の連通空間部の拡大斜視図である。
【図６】同じく他の形態を示す拡大斜視図である。
【図７】同じくさらに他の形態を示す拡大斜視図である。
【図８】同じくまたさらに他の形態を示す拡大斜視図である。
【図９（Ａ）】同じくまたさらに他の形態を示す冷媒流れ付記拡大斜視図及び各部位の詳細流れ図であり、図９（Ａ）と図９（Ｂ）はそれぞれ冷媒流れを逆としたものである。
【図９（Ｂ）】同じくまたさらに他の形態を示す冷媒流れ付記拡大斜視図及び各部位の詳細流れ図であり、図９（Ａ）と図９（Ｂ）はそれぞれ冷媒流れを逆としたものである。
【図１０】図９（Ａ）の左側コア部における流入防止堰側流入なし（Ａ）及び流入防止堰側流入有り（Ｂ）の各場合の冷媒分配イメージ図である。
【図１１】実施例及び従来例における冷媒蒸発器の冷媒流量‐冷媒圧力損失比較をした試験結果を示す図である。
【図１２】本発明の他の実施形態における冷媒蒸発器の冷媒流れ付記斜視図である。
【図１３−１】本発明のさらに他の実施形態における冷媒蒸発器の冷媒流れ付記斜視図（Ａ）。
【図１３−２】図１３−１におけるＡ−Ａ線断面図（Ｂ）及びそれで使用するチューブ端部の拡大部分斜視図（Ｃ）である。
【図１４】本発明のさらに他の実施形態における冷媒蒸発器の冷媒流れ付記斜視図である。
【図１５】図１４の冷媒の流れを示す模式図である。
【図１６】図１４における前側（冷媒流入側）タンク部に沿った垂直断面図及び該垂直断面図のＡ−Ａ線およびＢ−Ｂ線の各矢視断面図である。
【図１７】図１６の垂直断面図におけるＣ−Ｃ線、Ｄ−Ｄ線及びＥ−Ｅ線の各矢視断面図である。
【図１８】図４に示す構成の冷媒蒸発器の右９０°回転させて使用する場合の説明斜視図である。
【図１９】本発明の単列構造の蒸発器を適用した冷媒循環回路におけるクーラモード（Ａ）及びヒータモード（Ｂ）の各説明図である。
【図２０】本発明の蒸発器を適用するエジェクタを備えた冷凍サイクル図である。
【図２１】同じく減圧器を備えた冷凍サイクル図である。
【符号の説明】
【０１０３】
１３        入口／出口コネクタ
１６  上タンク部
１６Ａ、１６Ｂ        上前・後タンク部
１８        下タンク部
１８Ａ、１８Ｂ        下前・後タンク部
２０        （扁平）チューブ
２０Ａ、２０Ｂ        第１ターン・第２ターンチューブ
２２        コア部
２２Ａ、２２Ｂ            前・後コア部
２４        セパレータ
２４Ａ、２４Ｂ        前タンク部・後タンク部セパレータ
２５        流入防止堰
２６        コルゲートフィン
２８        連通空間
２８Ａ        連通ブロック
３０        交差流れガイド部材
４０        連通孔形成プレート
４０Ａ、４０Ｂ        上タンク部・下タンク部連通孔形成プレート
４１Ａ、４１Ｂ        上タンク部・下タンク部連通孔形成プレート、
Ｔ１、Ｔ２、Ｔ３、Ｔ４    冷媒流れの第１・第２・第３・第４ターン
【図１】
2005207716.tif 000004
【図２】
2005207716.tif 000005
【図３】
2005207716.tif 000006
【図４】
2005207716.tif 000007
【図５】
2005207716.tif 000008
【図６】
2005207716.tif 000009
【図７】
2005207716.tif 000010
【図８】
2005207716.tif 000011
【図９（Ａ）】
2005207716.tif 000012
【図９（Ｂ）】
2005207716.tif 000013
【図１０】
2005207716.tif 000014
【図１１】
2005207716.tif 000015
【図１２】
2005207716.tif 000016
【図１３−１】
2005207716.tif 000017
【図１３−２】
2005207716.tif 000018
【図１４】
2005207716.tif 000019
【図１５】
2005207716.tif 000020
【図１６】
2005207716.tif 000021
【図１７】
2005207716.tif 000022
【図１８】
2005207716.tif 000023
【図１９】
2005207716.tif 000024
【図２０】
2005207716.tif 000025
【図２１】
2005207716.tif 000026